(57)【要約】【課題】  画面上の特定画像領域に注目しながら、映像と静止画とを切換えることを可能とするデジタルデータ受信機を提供することを目的とする。【解決手段】  放送波を受信してデジタルデータを生成するデジタルデータ生成部（１６）と、デジタルデータから映像データを生成する映像データ生成部（２０、２１）と、デジタルデータのうち、特定画像領域（５２、５４、５５、５６）に対応したデータからエラー信号を検出する検出部（２０、２１）と、エラー信号に応じて映像データからフリーズ画像データへの切換え制御を行う切換制御部（３４）とを有することを特徴とするデジタルデータ受信機（１０）。【選択図】      図１
2006238149.tif 000002
【特許請求の範囲】
【請求項１】
デジタルデータ受信機であって、
放送波を受信してデジタルデータを生成するデジタルデータ生成部と、
前記デジタルデータから映像データを生成する映像データ生成部と、
前記デジタルデータのうち、特定画像領域に対応したデータからエラー信号を検出する検出部と、
前記エラー信号に応じて映像データからフリーズ画像データへの切換え制御を行う切換制御部と、
を有することを特徴とするデジタルデータ受信機。
【請求項２】
前記特定画像領域は、画面中央部の領域である、請求項１に記載のデジタルデータ受信機。
【請求項３】
前記特定画像領域は、第１領域と、前記第１領域とは異なる第２領域とを含み、
前記検出部は、前記第１及び第２領域毎にエラー信号の検出を行い、
前記切換制御部は、前記第１及び第２領域毎のエラー信号に応じて、前記第１及び第２領域毎に映像データからフリーズ画像データへの切換を行う、請求項１に記載のデジタルデータ受信装置。
【請求項４】
前記第１領域は画面中央部の領域であり、前記第２領域は前記第１領域の周囲の領域である、請求項３に記載のデジタルデータ受信装置。
【請求項５】
前記第１領域は画面に表示される第１の映像の中央部の領域であり、前記第２領域は画面に表示される第２の映像の中央部の領域である、請求項３に記載のデジタルデータ受信装置。
【請求項６】
さらに、前記特定画像領域を設定するための設定部と、設定部による設定内容を記憶する記憶部を有する、請求項１〜５の何れか一項に記載のデジタルデータ受信機。
【請求項７】
前記切換制御部は、前記映像データから前記フリーズ画像データへの切換条件を、前記デジタルデータ受信機が搭載される車両の車速に応じて変更する、請求項１〜６の何れか一項に記載のデジタルデータ受信機。
【請求項８】
前記切換制御部は、前記映像データから前記フリーズ画像データへの切換条件を、前記放送波の受信周波数に応じて変更する、請求項１〜７の何れか一項に記載のデジタルデータ受信機。
【請求項９】
前記切換制御部は、前記映像データから前記フリーズ画像データへの切換条件を、前記映像データに対応する番組のジャンルに応じて変更する、請求項１〜６の何れか一項に記載のデジタルデータ受信機。
【請求項１０】
前記切換制御部は、前記映像データから前記フリーズ画像データへの切換条件を、前記映像データの種類に応じて変更する、請求項１〜６の何れか一項に記載のデジタルデータ受信機。
【請求項１１】
前記切換制御部は、前記映像データから前記フリーズ画像データへの切換条件を、前記映像データの映像サイズに応じて変更する、請求項１〜６の何れか一項に記載のデジタルデータ受信機。
【請求項１２】
前記切換制御部は、前記映像データから前記フリーズ画像データへの切換条件を、前記デジタルデータの種類に応じて変更する、請求項１〜６の何れか一項に記載のデジタルデータ受信機。
【請求項１３】
前記切換制御部は、前記映像データから前記フリーズ画像データへの切換条件を、過去の切換履歴情報に応じて変更する、請求項１〜６に記載のデジタルデータ受信機。
【請求項１４】
さらに、前記映像データから前記フリーズ画像データへの切換条件を設定するための設定部と、設定部による設定内容を記憶する記憶部を有する、請求項１〜１３の何れか一項に記載のデジタルデータ受信機。
【請求項１５】
さらに、前記特定画像領域に対応したデータから生成された映像データを拡大して出力するように処理を行う演算処理部を有する、請求項１〜１４の何れか一項に記載のデジタルデータ受信装置。
【請求項１６】
さらに、前記放送波を受信し、受信放送波の電界強度信号を出力するチューナ部を有し、
前記切換制御部は、前記エラー信号及び前記電界強度信号に応じて、映像データからフリーズ画像データへの切換え制御を行う、請求項１〜１５の何れか一項に記載のデジタルデータ受信機。
【発明の詳細な説明】
【技術分野】
【０００１】
本発明は、映像データとフリーズ画像データとを切換えて出力することができるデジタル放送受信機等のデジタルデータ受信機に関するものである。
【背景技術】
【０００２】
アナログＴＶ放送受信装置において、受信される映像信号から分離される同期パルスの時間的なゆらぎ（ジッタ）の状況を検出することにより、画像状況を検出し、さらに番組内容に応じて動画と静止画との切換えを行う技術が知られている（例えば、特許文献１）。
【０００３】
ところで、デジタル放送では、伝送特性の異なる複数の階層を同時に伝送する階層伝送が可能である。そこで、例えば、デジタル放送による同一チャネル内で異なった種類の符号化されたデジタルデータ（ＭＰＥＧ２、ＭＰＥＧ４又はＨ．２６４等）を受信し、受信状況に応じて一方の種類の符号化されたデジタルデータに切換える技術が知られている（例えば、特許文献２）。
【０００４】
しかしながら、受信状況に応じて異なった種類の符号化されたデジタルデータに切換える場合、それぞれの符号化されたデジタルデータから復号化された映像データが完全に同期しているとは限らないので、切換えによって、映像がシームレスに切換えられないという不都合があった。また、一方の符号化されたデジタルデータの受信状況が悪化した場合、他方の符号化されたデジタルデータの受信状況が良好とは限らず、切換えても良好な映像を提供することができない場合もあった。さらに、切換えが頻繁に行われると、ユーザに不快感を与えてしまうという不都合もあった。
【０００５】
【特許文献１】特開平１１−８８７２６号公報（６頁、図１）
【特許文献２】特開２００２−１５８７２６号公報（２頁、図１）
【発明の開示】
【発明が解決しようとする課題】
【０００６】
また、受信したデジタルデータからエラー信号を検出し、検出されたエラー信号に応じて、映像とフリーズ（静止）画像とを切換えて表示することが考えられる。即ち、受信状態が悪く、映像にノイズが多く含まれて視聴するに耐えない場合には、映像からフリーズ画像に切換えて表示を行う。しかしながら、ＴＶ画像では、ユーザが注目する画面上の特定画像領域（例えば、画面中央部）に重要な情報が写しだされている場合が多く、それ以外の領域（例えば、画面の周辺部）に多少のノイズが発生しても大きな問題とはならない。
【０００７】
そこで、本発明は、画面上の特定画像領域に注目しながら、映像とフリーズ画像とを切換えることを可能とするデジタルデータ受信機を提供することを目的とする。
【０００８】
また、本発明は、映像とフリーズ画像とを切換える条件を、状況に応じて最適化することができるデジタルデータ受信機を提供することを目的とする。
【課題を解決するための手段】
【０００９】
上記課題を解決するために、本発明に係るデジタルデータ受信機は、放送波を受信してデジタルデータを生成するデジタルデータ生成部と、デジタルデータから映像データを生成する映像データ生成部と、デジタルデータのうち、特定画像領域に対応したデータからエラー信号を検出する検出部と、エラー信号に応じて映像データからフリーズ画像データへの切換え制御を行う切換制御部とを有することを特徴とする。
【００１０】
また、本発明に係るデジタルデータ受信機では、特定画像領域は、画面中央部の領域であることが好ましい。通常、ＴＶ画像では、画面中央部の領域に重要な情報が映し出されている場合が多いからである。
【００１１】
また、本発明に係るデジタルデータ受信機では、特定画像領域は、第１領域と、第１領域とは異なる第２領域とを含み、検出部は、第１及び第２領域毎にエラー信号の検出を行い、切換制御部は、第１及び第２領域毎のエラー信号に応じて、第１及び第２領域毎に映像データからフリーズ画像データへの切換えを行うことが好ましい。画面上に複数の領域を設定し、領域毎に、映像からフリーズ画像への切換えを行えるように構成した。
【００１２】
さらに、本発明に係るデジタルデータ受信機では、第１領域は画面中央部の領域であり、第２領域は第１領域の周囲の領域であることが好ましい。
【００１３】
さらに、本発明に係るデジタルデータ受信機では、第１領域は画面に表示される第１の映像の中央部の領域であり、第２領域は画面に表示される第２の映像の中央部の領域であることが好ましい。例えば１つのディスプレイ上に２映像を同時に表示する場合、各映像の画面中央部の領域に重要な情報が映し出されている場合が多いからである。
【００１４】
さらに、本発明に係るデジタルデータ受信機では、特定画像領域を設定するための設定部と、設定部による設定内容を記憶する記憶部を有することが好ましい。特定画像領域をユーザが自由に設定できるように構成したものである。
【００１５】
さらに、本発明に係るデジタルデータ受信機では、映像データからフリーズ画像データへの切換条件を、デジタルデータ受信機が搭載される車両の車速、放送波の受信周波数、デジタルデータ受信機が搭載される車両の車速及び放送波の受信周波数、映像データに対応する番組のジャンル（ニュース、スポーツ等）、映像データの種類、映像データの映像サイズ（ハイビジョン・サイズ、スタンダード・サイズ、及びモバイル・サイズ等）、デジタルデータの種類（ＭＰＥＧ２、ＭＰＥＧ４又はＨ．２６４等）、又は過去の切換履歴情報に応じて変更することが好ましい。映像データからフリーズ画像データへの切換条件を、状況に応じて最適に設定できるように構成した。
【００１６】
さらに、本発明に係るデジタルデータ受信機では、映像データからフリーズ画像データへの切換条件を設定するための設定部と、設定部による設定内容を記憶する記憶部を有することが好ましい。映像データからフリーズ画像データへの切換条件をユーザが自由に設定できるように構成したものである。
【００１７】
さらに、本発明に係るデジタルデータ受信機では、特定画像領域に対応したデータから生成された映像データを拡大して出力するように処理を行う演算処理部を有することが好ましい。
【００１８】
さらに、本発明に係るデジタルデータ受信機では、放送波を受信し、受信放送波の電界強度信号を出力するチューナ部を有し、切換制御部は、エラー信号及び電界強度信号に応じて、映像データからフリーズ画像データへの切換え制御を行うことが好ましい。エラー信号だけでなく、電界強度信号（ＡＧＣ信号）を併用して映像データからフリーズ画像データへの切換え制御を行えるように構成したものである。
【００１９】
さらに、本発明に係るデジタルデータ受信機では、フリーズ画像データは静止画像データであることが好ましく、さらに、予め記憶されている静止画像データ又映像データから静止画像生成部によって生成された静止画像データであることが好ましい。
【発明の効果】
【００２０】
本発明に係るデジタルデータ受信機によれば、特定画像領域に注目しながら、映像データ（動画）とフリーズ画像データ（静止画）とを状況に応じて適切に切換えることが可能となった。したがって、特定画像領域以外の領域でノイズが多く発生しても、引き続き映像を視聴することが可能となり、頻繁にデジタルデータ間で切換えを行う必要がなくなった。
【００２１】
また、本発明に係るデジタルデータ受信機において、特にデジタルデータ受信機が搭載される車両の車速及び／又は放送波の受信周波数に応じて映像データからフリーズ画像データへの切換条件を変更するように制御した場合には、映像データとフリーズ画像データとを切換える条件を、外部環境に拘らず最適化することができる。
【発明を実施するための最良の形態】
【００２２】
以下図面を参照して、本発明に係るデジタルデータ（放送）受信機について説明する。
【００２３】
図１は、本発明に係わるデジタルデータ受信機１０の概要を示すブロック図である。
【００２４】
デジタルデータ受信機１０は、チューナ部１２、ＯＦＤＭ復調処理部１４、ＴＳデコード処理部１６、第１音声デコーダ１８、第２音声デコーダ１９、第１映像デコーダ２０、第２映像デコーダ２１、音声切換処理部２２、映像切換処理部２４、提示処理部２６、遅延回路３０、Ｄ／Ａ変換器３１、ＲＡＭ３２、ＲＯＭ３３、制御部３４、Ｉ／Ｏ３６及びシステムバス３８等から構成されている。また、デジタルデータ受信機１０は、アンテナ４０、車載用の表示部５０、スピーカ６０、リモコン７０及びデジタルデータ受信機１０が搭載されている車両の車速データを出力するための走行状態検出部８０と接続されている。
【００２５】
デジタルデータ受信機１０は、リモコン７０及び／又は表示部５０に設けられた各種入力装置（ボタン、タッチパネル等）からの操作入力によって制御される。なお、デジタルデータ受信機１０に、前述したアンテナ４０、車載用の表示部５０、スピーカ６０、リモコン７０及び走行状態検出部８０の何れか１つ又は複数を含むように構成しても良い。
【００２６】
チューナ部１２は、アンテナ４０より放送波を受信し、所望の帯域に存在するＯＦＤＭ（Orthogonal Frequency Division Multiplexing）信号を抽出して、内蔵するＡＧＣ（Auto Gain Control）回路によってレベル調整後、ＯＦＤＭ復調処理部１４へ送る。なお、ＯＦＤＭ信号は、ＡＧＣ信号によって、所望のレベルに制御される。また、チューナ部１２は、ＡＧＣ信号をシステムバス３８を介して制御部３４に送信する。
【００２７】
ＯＦＤＭ復調処理部１４は、デジタル変調されたＯＦＤＭ信号の復調を行い、誤り訂正処理等を行って、ＴＳ（トランスポート・ストリーム）パケット信号をＴＳデコード処理部１６へ送る。また同時に、ＯＦＤＭ復調処理部１４は、トランスポートエラー（ＴＳ−ＥＲＲ）：Ａ、Ｂ及びＣをシステムバス３８を介して制御部３４へ送信する。ＴＳ−ＥＲＲ：Ａは、携帯放送向けエラーを示し、ＴＳ−ＥＲＲ：Ｂ又はＣは、固定放送向けエラーを示している。
【００２８】
ＴＳデコード処理部１６は、ＴＳパケット信号を、フィルタリング（選別）し、必要なデータだけを対応するデコーダに引き渡す。具体的には、固定放送向け（家庭用の一般向け）デジタル放送に対応し、ＭＰＥＧ２方式によって符号化された符号化デジタルデータを音声と映像に分離して、第１音声デコーダ１８へ及び第１映像デコーダ２０へ引渡し、携帯放送向けのデジタル放送に対応し、Ｈ．２６４方式（ＭＰＥＧ−４Ｐａｒｔ１０としても知られる映像圧縮方式の一つ）（又はＭＰＥＧ４方式）によって符号化された符号化デジタルデータを音声と映像に分離して、第２音声デコーダ１９及び第２映像デコーダ２１へ引渡す。また、ＴＳデコード処理部１６は、同時に固定波放送向けデータのデコードエラー信号及び携帯放送向けデータのデコードエラー信号をシステムバス３８を介して制御部３４へ送る。さらに、ＴＳデコード処理部１６は、ＴＳパケット信号からＥＰＧ（番組案内情報）データを取得し、システムバス３８を介して制御部３４へ送信する。
【００２９】
固定波放送向けの符号化デジタルデータは、ＭＰＥＧ２方式で符号化されたものであって、高品質であるが、ビットレートが高いことからノイズ耐性が弱く、放送局からの距離が長くなると、良好な受信が困難となる場合がある。これに対して、携帯放送向けの符号化デジタルデータは、Ｈ．２６４方式（又はＭＰＥＧ４方式）で符号化されたものであって、ＭＰＥＧ２方式に比べるとビットレートが低いため、ノイズ耐性が強く、放送局からの距離がより長くなっても良好に受信することが可能となる。
【００３０】
ＯＦＤＭ方式では、同時に３種類の信号キャリアを搬送することができるので、最大３種類の映像データをＴＳデコード処理部１６から分離することができるが、本実施形態では、ＭＰＥＧ２方式と、Ｈ．２６４方式（又はＭＰＥＧ４方式）とで符号化された２種類の符号化デジタルデータを取扱っている。しかしながら、これに限定されることなく、第３音声デコーダ及び第３映像デコーダを設けることもできる。
【００３１】
第１音声デコーダ１８及び第１映像デコーダ２０は、ＴＳデコード処理部１６から受信した符号化されたデジタルデータのビットストリームをデコードして、固定向け放送用（ＭＰＥＧ２方式）における、音声出力用の第１音声データ及び表示用の第１映像データを生成する。また、第２音声デコーダ１９及び第２映像デコーダ２１は、ＴＳデコード処理部１６から受信した符号化されたデータのビットストリームをデコードして、携帯向け放送用（Ｈ．２６４方式又はＭＰＥＧ４方式）における、音声出力用の第２音声データ及び表示用の第２映像データを生成する。
【００３２】
また、第１映像デコーダ２０及び第２映像デコーダ２１は、符号化デジタルデータより、動き補償の単位であるマクロブロック毎に付加されている動きベクトルデータを検出し、マクロブロック毎に動きベクトルが異常値であるか否かの判断を行い、１画面単位で、１画面を構成するマクロブロックの内の何％が異常値を有しているのかを示す動きベクトルエラー信号を制御部３４へ送信する。
【００３３】
動きベクトルは、参照画面（以前の時刻に符号化され次のタイミングで使用するためにデコードされた再生画面）上でのずれ量を示す２次元データであるので、受信エラー等によって、画面が大きく乱れた場合には、大きい移動状態を示すこととなる。即ち、動きベクトルが異常値を示す場合（予め設定した値より大きい場合）は、対応するマクロブロックのデータは異常なデータであると理解することができる。さらに、そのようなマクロブロックが一画面中に多数存在する場合には、ノイズが多く発生したり、映像が大きく乱れたりしており、視聴に耐えないものであると判断することができる。
【００３４】
第１及び第２音声デコーダ１８及び１９からの第１音声データ及び第２音声データは、制御部３４の制御によって音声切換処理部で何れか一方が選択され、遅延回路３０にて所定の遅延処理が成されて映像データと同期を取った後、Ｄ／Ａ変換器３１によってアナログ信号に変換されて、スピーカ６０から出力される。
【００３５】
第１及び第２映像デコーダ２０及び２１からの第１映像データ及び第２映像データは、制御部３４の制御によって映像切換処理部２４で何れか一方が選択され、提示処理部２６において後述する演算処理がなされた後、表示部５０に表示される。
【００３６】
提示処理部２８は、選択された固定波放送向け又は携帯放送向けの映像データを、表示部５０に適合させて表示させるための処理部であって、映像データを一時記憶するためのＶＲＡＭ等の記憶部２７、後述するように、第１映像データ又は第２映像データから静止画像データ（フリーズ画像データ）を生成するための、補間処理、置換処理等を含む演算処理を行う演算処理部２８等を有している。
【００３７】
制御部３４は、ＲＡＭ３２及びＲＯＭ３３を利用しながら、予めインストールされているプログラムにしたがって動作し、システムバス３８と接続されている各要素の制御を行う。また、制御部３４は、チューナ部１２からのＡＧＣ信号、ＯＦＤＭ復調処理部１４からのＴＳ−ＥＲＲ：Ａ及びＢ（又はＣ）、デコード処理部１６からのデコードエラー信号、又は第１映像デコーダ２０及び第２映像デコーダ２１からの動きベクトルエラー信号を受信し、各信号の全て又は一部に基づいて固定波放送向けデータ及び携帯放送向けデータが受信可能か否かの判断を行い、映像データから静止画像データへの表示の切換え制御を行う。さらに、制御部３４は、後述するように、予め設定された又はユーザによって設定された特定画像領域に対応した動きベクトルエラー信号に基づいて、映像データから静止画像データへの表示の切換え制御を行う。さらに、制御部３４は、後述するように、映像データから静止画像データへの表示の切換え条件を、デジタルデータ出力装置の状況に応じて変更し、最適な切換えが行われるように制御する。
【００３８】
図２に、映像データから静止画像データへの切換え処理（フリーズ処理）のフローの一例を示す。
【００３９】
図２のフローは、主に、デジタルデータ受信機１０の制御部３４が、予めインストールされたプログラムに従い、デジタルデータ受信機１０の各要素と連携して実行する。
【００４０】
最初に、放送局から、ＭＰＥＧ２方式で符号化された符号化デジタルデータによる固定波放送と、Ｈ．２６４方式（又はＭＰＥＧ４方式）で符号化された符号化デジタルデータによる携帯向け放送による同じ内容の放送プログラムが、同一の放送チャンネルにおいて階層伝送されているものとする。また、デーデジタルデータ受信機１０は、電源がＯＮされ、各種機能が動作可能な状況になるものとする（Ｓ２０１）。
【００４１】
次に、制御部３４は、特定画像領域を示す情報を取得する（Ｓ２０２）。特定画像領域を示す情報は、映像データから静止画像データへの表示の切換え制御を行うための動きベクトルのエラー信号を考慮する領域を示す情報である。なお、特定画像領域を示す情報は、予め設定され、ＲＯＭ３３に記憶されている。
【００４２】
図３に、特定画像領域の設定例を示す。
【００４３】
図３に示すように、表示部５０は８００（Ｘ１）×４８０（Ｙ１）画素の画像表示領域５１を有している。本実施形態では、画像表示領域５１の中央部に、６００（Ｘ２）×３００（Ｙ２）画素の特定画像領域５２を予め設定した。また、特定画像領域５２の周辺部領域５３の部分を斜線で示した。なお、図３に示す特定画像領域は一例であって、これに限定されるものではない。
【００４４】
次に、制御部３４は、現在表示部５０に表示している番組のジャンル、即ち、ニュースやトーク番組等のエラー耐性の低い番組か、スポーツ番組等のエラー耐性の高い番組かの情報を取得する（Ｓ２０３）。映像内容の変化が激しいスポーツ番組等では、多少映像が乱れていても重要なシーンを見逃すよりは、映像を表示し続ける方が好ましい。そういった意味で、スポーツ番組等では映像のエラー耐性が高いと言える。このように、番組のジャンルに応じて、映像のエラー耐性が異なることから、ジャンルに応じて後述する映像から静止画像への切換のための切換条件を変更できるように構成した。また、現在表示部５０に表示している番組のジャンルは、ＴＳデコード処理部１６から出力されるＥＰＧデータから取得した。
【００４５】
次に、制御部３４は、現在表示部５０に表示している映像データのサイズ情報を取得する（Ｓ２０４）。映像サイズ（ハイビジョン・サイズ、スタンダード・サイズ、及びモバイル・サイズ等）に応じて、映像のエラー耐性が異なることから、映像サイズに応じて切換条件を変更できるように構成した。映像データのサイズ情報は、第１映像デコーダ２０及び／又は第２映像デコーダ２１から取得した。
【００４６】
次に、制御部３４は、現在表示部５０に表示している符号化デジタルデータの種類、即ち、ＭＰＥＧ２方式で符号化された符号化デジタルデータによる固定波放送、又はＨ．２６４方式（又はＭＰＥＧ４方式）で符号化された符号化デジタルデータによる携帯向け放送かの情報を取得する（Ｓ２０５）。符号化デジタルデータ（映像ストリーム）の種類に応じて、映像のエラー耐性が異なることから、符号化デジタルデータの種類に応じて切換条件を変更できるように構成した。
【００４７】
次に、制御部３４は、現在表示部５０に表示している番組の受信周波数に関する情報を取得する（Ｓ２０６）。受信周波数が上がるほど、受信するデータのノイズ成分が増加することから、受信周波数が低い場合と高い場合とで切換条件を同じにすると、受信周波数が高い場合には頻繁に切換が発生することとなる。そこで、受信周波数に応じて、切換条件を変更できるように構成した。日本の地上波デジタル放送では、１３ｃｈ〜６２ｃｈの受信中心周波数を４７３．１４２８６７ＭＨｚ〜７６７．１４２８５７ＭＨｚ間で順番に割り当てている。そこで、本実施形態では、チャネルと受信周波数とが対応するものと考え、受信周波数の変わりにチャネル番号を用いて、受信周波数に関する情報とした。しかしながら、チューナ部１２からの受信周波数信号に基づいて、受信周波数自体の情報を取得しても良い。
【００４８】
次に、制御部３４は、デジタルデータ出力装置１０が搭載されている車両の速度情報を、走行状態検出部８０から取得する（Ｓ２０７）。車両が高速で移動すればするほど、受信する電波のノイズ成分が増加することから、車速が低い場合と高い場合で切換条件を同じにすると、車速が高い場合には頻繁に切換が発生することとなる。そこで、車速に応じて、切換条件を変更できるように構成した。
【００４９】
次に、制御部３４は、現在表示部５０に表示している映像データを出力している第１映像デコーダ２０又は第２映像デコーダ２１から、参照画面（以前の時刻に符号化され次のタイミングで使用するためにデコードされた再生画面）におけるＳ２０２で設定された特定画像領域（図３の領域５２）に対応する動きベクトルエラー信号を取得する（Ｓ２０９）。
【００５０】
次に、制御部３４は、現状がフリーズ状態（静止画像データを出力している状態）か否かの判断を行い（Ｓ２０９）、現状がフリーズ状態でない場合には、Ｓ２０８で取得した動きベクトルエラー信号と、Ｓ２０２〜Ｓ２０７で取得した情報に基づく切換条件（図４及び図５参照。後述する）とを比較し、フリーズ状態をＯＮにするか（映像データから静止画像データに切換える）否かの判断を行う（Ｓ２１０）。
【００５１】
図４に、映像データと静止画像データとの切換条件の一例を示す。
【００５２】
図３においては、番組ジャンル４０１、映像ストリームの種類４０２、映像サイズ４０３に応じて、フリーズ状態をＯＮにする閾値４０４を示している。例えば、スポーツ番組をＭＰＥＧ２方式のスタンダード・サイズで視聴している場合、特定画像領域（図３の領域５２）中の３５％以上のマクロブロックが異常値を示している場合に、デジタルデータ出力装置１０の制御部３４は、映像データ（動画）から静止画像データ（静止画）への出力の切換えを行う。なお、フリーズＯＮのための閾値４０４は一例であって、他の値を採用することができることは言うまでもない。
【００５３】
図５に、映像データと静止画像データとの切換条件の補正値の一例を示す。
【００５４】
図５の表において、縦軸はＳ２０６で取得したチャネル番号（１３ｃｈ〜６２ｃｈを５段階に分割）を示し、横軸はＳ２０６で取得した車速（ｋｍ／ｈ：０〜１００ｋｍ／ｈを１０段階に分割）を示している。また、図５における各数値は、図４に示したフリーズＯＮへの閾値４０４及びフリーズＯＦＦへの閾値４０５を補正するための補正係数を示している。即ち、制御部３４は、受信周波数と車速に基づいて、切換条件を変更するように制御している。なお、図５に示す補正値は一例であって、他の値を採用することができることは言うまでもない。
【００５５】
例えば、ある時点で、６０ｋｍ／ｈで走行中に、１４チャンネルで、ハイビジョン・サイズ且つＭＰＥＧ２のニュース・トーク番組を視聴している場合、フリーズＯＮへの閾値は１２．５％（＝２５×０．５）となる。したがって、その時点で、特定画像領域に対応した動きベクトルの内、１２．５％以上が異常値を示す場合、制御部３４は、映像データから静止画データへの切換制御を行う。
【００５６】
次に、制御部３４は、提示処理部２６が、フリーズ画面（静止画像）データを作成する（Ｓ２１１）ように制御を行う。
【００５７】
提示処理部２６は、異常値を有するマクロブロックのデータを利用せず、異常値を有するマクロブロックの周囲のマクロブロックのデータを用いて補間するようにしてデータを作成して、静止画像データを作成する。
【００５８】
図６にＴＳデコード処理部１６から出力される映像ストリームのデータ構造の概略を示す。
【００５９】
図中、１枚の画面（ピクチャ）６００は、１枚の画面を帯状に断面化した複数のスライス６０１を含み、各スライスは複数のブロックから構成されるマクロブロックを複数含んで構成されている。各マクロブロックは、例えば、１６画素×１６ライン分の輝度データ及び色差データを含む。また、図中６０２は、所定の隣接する９個のマクロブロックｎ1〜ｎ9を示している。例えば、マクロブロックｎ5が有する動きベクトルが異常値を示す場合、演算処理部２８は記憶部２７に記憶されている参照画面のデータを用いて、マクロブロックｎ5に隣接する８つのマクロブロックｎ1〜ｎ4及びｎ6〜ｎ9のデータの平均値を、新たにマクロブロックｎ5のデータとする補間処理を行う。提示処理部２６は、このような補間処理を全ての異常値を有するマクロブロックに対して行い、静止画像データを作成する。
【００６０】
次に、Ｓ２１１で作成された静止画像データを表示部５０に出力し（Ｓ２１２）、一連
の処理を終了する（Ｓ２１５）。
【００６１】
Ｓ２１０でフリーズＯＮの条件に該当しないと判断された場合には、そのまま映像デー
タの出力を維持するよう制御して、一連の処理を終了する（Ｓ２１５）。
【００６２】
Ｓ２０９で現状がフリーズＯＮ状態にあると判断された場合には、次に、制御部３４は、Ｓ２０８で取得した動きベクトルエラー信号と、Ｓ２０２〜Ｓ２０７で取得した情報に基づく切換条件（図４及び図５参照。後述する）とを比較し、フリーズ状態をＯＦＦにするか（静止画像データから映像データに切換える）否かの判断を行う（Ｓ２１３）。
【００６３】
Ｓ２１３でフリーズＯＦＦの条件に該当すると判断された場合には、静止画像データ（静止画）から映像データ（動画）へ出力の切換えを行い（Ｓ２１４）、一連の処理を終了する（Ｓ２１５）。図３に、フリーズ状態をＯＦＦにするための閾値４０５を示す。例えば、ある時点で、フリーズ状態ではあるが、６０ｋｍ／ｈで走行中に、１４チャンネルで、ハイビジョン・サイズ且つＭＰＥＧ２のニュース・トーク番組を視聴しようとしている場合、フリーズＯＦＦへの閾値は１０％（＝２０×０．５）となる。したがって、その時点で、特定画像領域に対応した動きベクトルの内、１０％未満が異常値を示す場合、制御部３４は、静止画データから映像データへの切換制御を行う。
【００６４】
Ｓ２１３でフリーズＯＦＦの条件に該当しないと判断された場合には、そのまま静止画
像データの出力を維持するよう制御して、一連の処理を終了する（Ｓ２１５）。
【００６５】
このように、制御部３４は、特定画像領域に対応する動きベクトルエラー信号と、切換条件とを比較し、映像データと静止画像データとの切換え制御を行う。図２に示す処理フローは、所定のタイミング毎に繰り返される。したがって、特定画像領域の、ノイズが少なければ、特定画像領域以外にノイズが多く発生していても、映像データから静止画像データへの切換は行われない。言い換えれば、ユーザが注目している領域で多くノイズが発生している時のみ映像データから静止画像データへの切換制御が行われるので、不必要な切換によって映像データが視聴しにくくなるといった問題を解決することが可能となった。
【００６６】
上記の実施形態では、１つの特定画像領域（図３の領域５２）のみを予め設定したが、ユーザがリモコン７０等の設定手段を用いて特定画像領域を任意に設定できるようにしても良い。また、ユーザ登録を行えるようにし、ユーザ毎に特定画像領域を設定できるようにしても良い。
【００６７】
図７に、特定画像領域の他の設定例を示す。
【００６８】
図７の例では、表示部５０における画像表示領域５１の左上に特定画像領域５４を設定した。特定画像領域５４は、野球中継のスコアを表示する部分に該当する。野球放送では、選手やボールの動きが早いので、映像に多少ノイズが含まれていても視聴するうえで大きな問題とはならないが、フリーズ（静止画）とすることはできれば避けたい。しかしながら、チーム名やスコアを表示する領域は小さく且つ静止画像に近いことから、この部分の映像に多くのノイズが含まれていると視聴しにくくなる。そこで、野球中継のスコアを表示する部分を特定画像領域５４として設定したものである。このように、特定画像領域は、番組内容等に合わせて予め設定されること、又はユーザによって番組毎にリモコン７０を用いて設定されうるように構成することが望ましい。
【００６９】
図８に、特定画像領域の他の設定例を示す。
【００７０】
図８の例では、表示部５０における画像表示領域５１内に、２つの別々の第１映像８１及び第２映像８２を表示する例であり、映像の中央部分にそれぞれ特定画像領域５５及び５６を設定した。例えば、第１映像として２０チャンネルの番組を出力し、第２映像として３０チャンネルの番組を出力した場合、各映像の特定画像領域５５及び５６に対応した動きベクトルエラー信号とそれぞれ切換条件とを比較して、映像データと静止画像データとの切換制御を別個に行う。映像が別々であり、状況が異なるので、例えば、第１映像８１に対応する部分のみを静止画像に切換え、第２映像８２に対応する部分は映像を出力し続ける場合も考えられる。このように、本発明では、特定画像領域を複数設定することができる。
【００７１】
上記の実施形態では、特定画像領域（図３の領域５２）に対応する動きベクトルのエラー信号が、切換条件に該当する場合、映像全体と静止画像全体との間で切換制御を行った。しかしながら、特定画像領域に対応する部分のみを切換るように切換制御を行っても良い。例えば、図３において、領域５２を第１領域、領域５３を第２領域と設定し、第１領域に対応する動きベクトルエラー信号が切換条件に該当せず（ノイズ低）、第２の領域対応する動きベクトルエラー信号が切換条件に該当する（ノイズ高）場合には、領域５３のみを静止画像の一部に切換るように制御することが可能である。さらに、その場合、領域５２の部分の映像を画像表示領域５１のサイズ一杯に拡大して表示するようにしても良い。
【００７２】
上記の実施形態では、番組ジャンル、映像ストリームの種類及び映像サイズの３つ条件
に応じて切換条件（閾値）を設定し（図４参照）、切換条件（閾値）をさらに、受信周波数及び車速に応じた補正係数（図５参照）により補正するように設定した。しかしながら、番組ジャンル、映像ストリームの種類、映像サイズ、受信周波数及び車速の５つの条件から、切換条件（閾値）を直接求めるようなテーブルを採用することもできる。また、前述の５つの条件のうちの任意の条件（１以上５以下）を用いて切換条件（閾値）を定めても良い。
【００７３】
また、切換条件を映像ソース別（動画／静止画）に応じて変更するようにしても良い。例えば、表示する映像が、スポーツ番組のような動画である場合と、グラフや表のみからなる静止画像である場合で、切換条件を変更しようとするものである。映像ソースが動画であるのか静止画像であるのかは、提示処理部２６において、デコードされたある１フレームとそのフレームの１画面前の別のフレームとの差分演算により求められるフレーム間差分量による判断することができる。フレーム間差分量が大きい場合は映像ソースは動画であってノイズ耐性が強く、フレーム間差分量が小さい場合は映像ソースは静止画像であってノイズ耐性が弱いと判断することができる。
【００７４】
さらに、切換条件を過去の切換履歴情報に応じて変更しても良い。例えば、１０ｓ（秒）連続して静止画像データが出力されている場合には、フリーズ画面に切換える動きベクトルのエラー信号の異常率の閾値が低くなる（より映像データを表示し易くなる）ように変更することが好ましい。あまり長い間フリーズ画面が表示されているのは好ましくないからである。
【００７５】
上記の実施形態では、切換条件（閾値）にフリーズＯＮ時とフリーズＯＦＦ時とでヒステリシスを持たせるように設定した。しかしながら、フリーズＯＮ時及びフリーズＯＦＦ時の切換条件（閾値）を同じ値に設定することも可能である。
【００７６】
上記の実施形態では、提示処理部２６の演算処理部２８が、異常値を有するマクロブロックのデータを、周囲のマクロブロックのデータを用いた補間処理により静止画像データを作成した。しかしながら、提示処理部２６の演算処理部２８では、１つ前のタイミングで表示する画面のデータを記憶部２７に記憶しておき、参照画面において異常値を有するマクロブロックのデータを、１つ前のタイミングで表示する画面における同じマクロブロックのデータに置換するような置換処理により静止画像データを作成するように構成することも可能である。さらに、提示処理部２６の演算処理部２８が、前述した補間処理及び置換処理の両方の処理機能を有し、動きベクトルエラー信号に応じて、何れか又は両方の処理を行って、静止画像データを作成するように構成することも可能である。
【００７７】
上記の実施形態では、提示処理部２６の演算処理部２８が、異常値を有するマクロブロックのデータを、周囲のマクロブロックのデータを用いた補間処理により静止画像データを作成した。しかしながら、記憶部２７に予め、所定の静止画像データ（スクリーンセイバー等）を記憶しておき、予め記憶されている静止画像データを映像データと切換えるように制御しても良い。また、ユーザがリモコン７０等の操作手段を用いて、静止画像データを作成するための方法として補間処理と置換処理の何れを選択するか、及び／又は作成された静止画像データか予め記憶されている静止画像データかの何れを選択するか、を設定することができるよう構成することも可能である。
【００７８】
上記の実施形態では、動きベクトルエラー信号を用いて、映像データと静止画像データとの切換え制御を行っている。しかしながら、ＡＧＣ信号、ＴＳ−ＥＲＲ信号、符号化デジタルデータのビットストリームのシーケンス・ヘッダ等に設定されているエラー信号等を用いて、映像データの劣化状況を判断し、映像データと静止画像データと切換制御を行うことも可能である。例えば、ＡＧＣ信号から判断して、映像を表示できる程度に十分な受信レベルに達していな場合には、動きベクトルのエラー信号による判断を行なわずに、映像データから静止画像データに切換える制御を行っても良い。即ち、第１ステップとしてＡＧＣ信号による判断を行い、十分な受信レベルが確保できている場合に、第２ステップとして動きベクトルのエラー信号と閾値との比較を行うようにしても良い。
【００７９】
また、ユーザがリモコン７０等の操作手段を用いて、フリーズＯＮ時とフリーズＯＦＦ時との閾値を任意に設定することができるように構成することも可能である。
【図面の簡単な説明】
【００８０】
【図１】本発明に係るデジタルデータ受信機の概要を示すブロック図である。
【図２】切換処理フローの一例を示す図である。
【図３】特定画像領域の設定例を示す図である。
【図４】切換条件の一例を示す図である。
【図５】切換条件の補正値の一例を示す図である。
【図６】データ構成の概略を示す図である。
【図７】特定画像領域の他の設定例を示す図である。
【図８】特定画像領域の他の設定例を示す図である。
【符号の説明】
【００８１】
１０    デジタルデータ受信機
１４    ＯＦＤＭ復調処理部
１６    ＴＳデコード処理部
１８    第１音声デコーダ
１９    第２音声デコーダ
２０    第１映像デコーダ
２１    第２映像デコーダ
２２    音声切換処理部
２４    映像切換処理部
２６    提示処理部
２７    記憶部
２８    演算処理部
３４    制御部
５０    表示部
６０    スピーカ
７０    リモコン
８０    走行状態検出部
【図１】
2006238149.tif 000003
【図２】
2006238149.tif 000004
【図３】
2006238149.tif 000005
【図４】
2006238149.tif 000006
【図５】
2006238149.tif 000007
【図６】
2006238149.tif 000008
【図７】
2006238149.tif 000009
【図８】
2006238149.tif 000010